(57)【特許請求の範囲】
【請求項１】
バーナ（５）へ燃焼用空気を通風するファン（６）と、
前記バーナ（５）への燃料供給量（ＩＰ）に基づいて燃焼用空気の目標通風量を前記ファン（６）の目標回転数（ＮＳ  ）として設定する目標回転数設定手段（２７）と、
前記目標回転数設定手段（２７）にて設定された目標回転数（ＮＳ  ）で前記ファン（６）を駆動するファン制御手段（２８）と、
前記目標回転数（ＮＳ  ）で前記ファン（６）が駆動されている状態における実際通風量と目標通風量との過不足を検出する過不足検出手段（２９）とが設けられ、
前記目標回転数設定手段（２７）が、前記過不足検出手段（２９）の検出情報に基づいて前記目標回転数（ＮＳ  ）を過不足解消側に補正するように構成され、
前記目標回転数設定手段（２７）による前記目標回転数（ＮＳ  ）の補正を実行する為の補正情報（ΔＮ）を記憶する記憶手段（３４）が設けられている燃焼装置であって、
前記ファン（６）で通風される通風経路（９，１１）の異常が解消されたことを検出する異常解消検出手段（３１）と、
前記異常解消検出手段（３１）による異常解消の検出結果に基づいて、前記記憶手段（３４）に記憶されている補正情報（ΔＮ）を初期化する初期化手段（３５）とが設けられている燃焼装置。
【請求項２】
前記通風経路（９，１１）の異常が、当該通風経路（９，１１）の通風障害である請求項１記載の燃焼装置。
【請求項３】
前記通風障害が、通風経路（９，１１）に設けたフィルター（１５）の目詰まりである請求項２記載の燃焼装置。
【請求項４】
前記異常解消検出手段（３１）が、通風経路（９，１１）に対する前記フィルター（１５）の着脱操作を検出して、当該通風経路（９，１１）の異常が解消されたことを検出するように構成されている請求項３記載の燃焼装置。
【請求項５】
前記過不足検出手段（２９）が、排ガス中の未燃ガス量を検出して、実際通風量が目標通風量よりも不足していることを検出するように構成されている請求項１，２，３又は４記載の燃焼装置。
【請求項６】
前記過不足検出手段（２９）が、目標回転数（ＮＳ  ）で駆動されている状態におけるファン（６）の実際仕事量（ＤＸ  ）と、その目標回転数（ＮＳ  ）に対応して予め設定されているファン（６）の目標仕事量（ＤＳ  ）との過不足を検出して、実際通風量と目標通風量との過不足を検出するように構成されている請求項１，２，３又は４記載の燃焼装置。
【請求項７】
前記目標回転数（ＮＳ  ）が設定回転数（ＮＭＡＸ  ）を越える目標回転数に補正されると、前記燃料供給量（ＩＰ）の調整範囲の上限値（ＩＰＭＡＸ  ）を減少側に変更する調整範囲変更手段（３０）が設けられている請求項１，２，３，４，５又は６記載の燃焼装置。
【発明の詳細な説明】
【０００１】
【産業上の利用分野】
本発明は、バーナへ燃焼用空気を通風するファンと、前記バーナへの燃料供給量に基づいて燃焼用空気の目標通風量を前記ファンの目標回転数として設定する目標回転数設定手段と、前記目標回転数設定手段にて設定された目標回転数で前記ファンを駆動するファン制御手段と、前記目標回転数で前記ファンが駆動されている状態における実際通風量と目標通風量との過不足を検出する過不足検出手段とが設けられ、前記目標回転数設定手段が、前記過不足検出手段の検出情報に基づいて前記目標回転数を過不足解消側に補正するように構成され、前記目標回転数設定手段による前記目標回転数の補正を実行する為の補正情報を記憶する記憶手段が設けられている燃焼装置に関する。
【０００２】
【従来の技術】
上記燃焼装置は、例えば特開昭６３−２９４４２０号公報に開示されており、バーナへの燃料供給量に基づく燃焼用空気の目標通風量をファンの目標回転数として設定し、実際通風量と目標通風量との過不足の検出情報に基づいてその目標回転数を過不足解消側に補正するので、ある燃焼運転時に目標回転数を過不足解消側に補正すると、次の燃焼運転時においてもその補正された目標回転数でファンが駆動され、例えば、燃焼運転を行う都度、実際通風量と目標通風量との過不足を検出して、過不足が解消されるようにファンの駆動を制御する場合に比べて、目標通風量に対して過不足の少ない実際通風量を早期に得やすい利点があるが、目標通風量に対して実際通風量に過不足が生じるのは、ファンで通風される通風経路に発生した異常、例えば、フィルターの目詰まりや一定条件下での空気通過量が所定の通過量と異なるフィルターの誤装着，通風経路の破損、更にはフィルターの装着忘れ等に起因することが多く、そのような異常を解消した後の燃焼運転時からは、補正が行われていない目標回転数でファンを駆動する必要があるので、この種の燃焼装置においては、従来、記憶手段に記憶されている目標回転数の補正を実行する為の補正情報を初期化するためのリセットスイッチを設け、通風経路に発生した異常の解消作業を行うと、その都度リセットスイッチを人為操作して、次の燃焼運転時からは補正が行われていない目標回転数でファンを駆動するようにしている。
【０００３】
【発明が解決しようとする課題】
上記従来技術によれば、通風経路に発生した異常の解消作業を行った後、リセットスイッチの操作を忘れると、次の燃焼運転時において、目標通風量に対して補正されたままの目標回転数でファンが駆動されることになり、かえって正常な燃焼運転が妨げられる欠点がある。
【０００４】
本発明は上記実情に鑑みてなされたものであって、通風経路の異常を解消するにともなって、特別な人為操作を要することなく、補正が行われていない目標回転数でファンを駆動できるようにすることを目的とする。
【０００５】
【課題を解決するための手段】
上記目的を達成する為の本発明の第１特徴構成は、
バーナへ燃焼用空気を通風するファンと、前記バーナへの燃料供給量に基づいて燃焼用空気の目標通風量を前記ファンの目標回転数として設定する目標回転数設定手段と、前記目標回転数設定手段にて設定された目標回転数で前記ファンを駆動するファン制御手段と、前記目標回転数で前記ファンが駆動されている状態における実際通風量と目標通風量との過不足を検出する過不足検出手段とが設けられ、前記目標回転数設定手段が、前記過不足検出手段の検出情報に基づいて前記目標回転数を過不足解消側に補正するように構成され、前記目標回転数設定手段による前記目標回転数の補正を実行する為の補正情報を記憶する記憶手段が設けられている燃焼装置であって、
前記ファンで通風される通風経路の異常が解消されたことを検出する異常解消検出手段と、前記異常解消検出手段による異常解消の検出結果に基づいて、前記記憶手段に記憶されている補正情報を初期化する初期化手段とが設けられている点にある。
【０００６】
本発明の第２特徴構成は、第１特徴構成において、
前記通風経路の異常が、当該通風経路の通風障害である点にある。
【０００７】
本発明の第３特徴構成は、第２特徴構成において、
前記通風障害が、通風経路に設けたフィルターの目詰まりである点にある。
【０００８】
本発明の第４特徴構成は、第３特徴構成において、
前記異常解消検出手段が、通風経路に対する前記フィルターの着脱操作を検出して、当該通風経路の異常が解消されたことを検出するように構成されている点にある。
【０００９】
本発明の第５特徴構成は、第１，第２，第３又は第４特徴構成において、
前記過不足検出手段が、排ガス中の未燃ガス量を検出して、実際通風量が目標通風量よりも不足していることを検出するように構成されている点にある。
【００１０】
本発明の第６特徴構成は、第１，第２，第３又は第４特徴構成において、
前記過不足検出手段が、目標回転数で駆動されている状態におけるファンの実際仕事量と、その目標回転数に対応して予め設定されているファンの目標仕事量との過不足を検出して、実際通風量と目標通風量との過不足を検出するように構成されている点にある。
【００１１】
本発明の第７特徴構成は、第１，第２，第３，第４，第５又は第６特徴構成において、
前記目標回転数が設定回転数を越える目標回転数に補正されると、前記燃料供給量の調整範囲の上限値を減少側に変更する調整範囲変更手段が設けられている点にある。
【００１２】
【作用】
第１特徴構成による作用は次の通りである。
通風経路の異常が解消されると、記憶手段に記憶されている補正情報が初期化される。
【００１３】
第２特徴構成による作用は次の通りである。
通風経路の通風障害を解消すると、記憶手段に記憶されている補正情報が初期化される。
【００１４】
第３特徴構成による作用は次の通りである。
通風経路に設けたフィルターの目詰まりを解消すると、記憶手段に記憶されている補正情報が初期化される。
【００１５】
第４特徴構成による作用は次の通りである。
通風経路に対するフィルターの着脱操作を行うと、通風経路の異常が解消されたとして、記憶手段に記憶されている補正情報が初期化される。
【００１６】
第５特徴構成による作用は次の通りである。
排ガス中の未燃ガス量を検出して、実際通風量が目標通風量よりも不足していることを検出し、その不足の検出情報に基づいて目標回転数を不足解消側に補正する。
【００１７】
第６特徴構成による作用は次の通りである。
目標回転数で駆動されている状態におけるファンの実際仕事量と、その目標回転数に対応して予め設定されているファンの目標仕事量との過不足を検出して、実際通風量と目標通風量との過不足を検出し、その過不足の検出情報に基づいて目標回転数を過不足解消側に補正する。
【００１８】
第７特徴構成による作用は次の通りである。
目標回転数が設定回転数を越える目標回転数に補正されると、燃料供給量の調整範囲の上限値が減少側に変更される。
【００１９】
【発明の効果】
第１特徴構成によれば、通風経路の異常を解消するにともなって、記憶手段に記憶されている補正情報が初期化されるので、特別な人為操作を要することなく、補正が行われていない目標回転数でファンを駆動できる。
【００２０】
第２特徴構成によれば、第１特徴構成による効果に加えて、通風経路に通風障害がある場合は、通風量が目標通風量に比べて不足する傾向にあり、目標回転数は不足解消側、つまり、回転数増大側に補正されているが、その通風障害を解消すると、記憶手段に記憶されている補正情報が初期化されるので、過剰な通風量に起因する炎のリフトや立ち消えを防止できる。
【００２１】
第３特徴構成によれば、第２特徴構成による効果に加えて、フィルターの目詰まりは通風量が多いほど早く進行し易く、フィルターの目詰まりを解消したにもかかわらず、回転数増大側に補正されている目標回転数でファンを駆動すると、過剰な通風量に起因してそのフィルターの目詰まりが早く進行するおそれがあるが、フィルターの目詰まりを解消すると、記憶手段に記憶されている補正情報が初期化されるので、そのようなおそれが少ない。
【００２２】
第４特徴構成によれば、第３特徴構成による効果に加えて、フィルターの交換や清掃等にともなう着脱操作を検出して、記憶手段に記憶されている補正情報を初期化するので、例えばフィルターの詰まり状態を判別してフィルターの目詰まりが解消されたことを検出するものに比べて、検出構造を簡略化でき、異常解消検出手段の誤作動が少ない。
【００２３】
第５特徴構成によれば、第１，第２，第３又は第４特徴構成による効果に加えて、実際通風量が目標通風量よりも不足している場合に発生しやすい、排ガス中の一酸化炭素ガス等の未燃ガス量を検出して、目標回転数を不足解消側に補正するので、安全上好ましい。
【００２４】
第６特徴構成によれば、第１，第２，第３又は第４特徴構成による効果に加えて、実際の通風量が反映され易い、目標回転数で駆動されている状態におけるファンの実際仕事量と、その目標回転数に対応して予め設定されているファンの目標仕事量との過不足を検出して、実際通風量と目標通風量との過不足を検出し、その過不足の検出情報に基づいて目標回転数を過不足解消側に補正するので、正常な燃焼運転を行い易い。
【００２５】
第７特徴構成によれば、第１，第２，第３，第４，第５又は第６特徴構成による効果に加えて、過不足検出手段で通風量の不足が検出されると、目標回転数は不足解消側、つまり、回転数増大側に補正されるが、ファンが回転可能な上限の回転数を越える目標回転数に補正された場合には、目標通風量を確保することが困難で、排気中の未燃ガスの増大など、正常な燃焼運転ができないおそれがあるが、目標回転数が設定回転数を越える目標回転数に補正されると、燃料供給量の調整範囲の上限値が減少側に変更されるから、そのようなおそれが少ない。
【００２６】
【実施例】
〔第１実施例〕
図１は、ケーシング１内に、本発明による燃焼装置Ａとこの燃焼装置Ａで加熱される水加熱用の熱交換器２とが備えられている給湯器の概略を示し、熱交換器２には、水が供給される給水路Ｗ１と、加熱された湯を図示しない給湯栓に給湯する給湯路Ｗ２とが接続され、給水路Ｗ１には、熱交換器２への給水量を検出する水量センサＳ１と、熱交換器２への入水温度を検出する入水温センサＳ２とが設けられ、給湯路Ｗ２には、熱交換器２の出湯温を検出する出湯温センサＳ３が設けられている。
【００２７】
前記燃焼装置Ａは、燃焼室３を形成している筒胴４，熱交換器２を加熱するバーナ５，バーナ５に燃焼用空気を通風するファン６，バーナ５に燃料ガスを供給する燃料ガス供給路Ｇ等を備え、バーナ５の近くには点火用のイグナイタ５ａと、バーナ５が着火したか否かを検出するフレームロッド５ｂとが設けられ、燃料ガス供給路Ｇには、燃料ガス供給を断続する二つの開閉弁Ｖ１，Ｖ２と燃料ガス供給量を調整する電磁式のガス量調整弁Ｖ３とが設けられている。
【００２８】
前記ファン６で通風される通風経路は、図２，図３に示すように、ケーシング１の前面側を形成する着脱可能な前板８と筒胴４との間に形成される給気路９と、筒胴４内側の燃焼室３から排気筒１０に亘る排気路１１とを備え、給気路９の空気取り入れ口１２が前板８に設けられ、ファン６の駆動回転で、空気取り入れ口１２から吸引された空気がバーナ５に燃焼用空気として吐出され、燃焼室３で生成された燃焼排ガスが筒胴４上部の排気筒１０から室外に排出されるようになっている。
【００２９】
前記空気取り入れ口１２は、図４，図５に示すように、ケーシング１に固定した防音カバー１３にビス止めされるフィルター取付け板１４と、フィルター取付け板１４に係脱自在に固定されるフィルター１５と、前板８に係脱自在に固定されるフィルターカバー１６とを設けて構成され、前板８に形成した矩形孔１７の周縁部とフィルター取付け板１４との間には、ゴム製のシールパッキン１８が挟み付けられ、フィルターカバー１６と前板８との間から矩形孔１７に流入した空気が、フィルター１５とフィルター取付け板１４に形成した長孔群１９とを順に通過して、フィルター取付け板１４の周壁に形成した抜き孔２０からケーシング１内に吸引される。
【００３０】
前記フィルター１５は、図６に示すように、その枠体２１に設けた係止爪２１ａ，２１ｂをフィルター取付け板１４に形成した長孔２２ａ，２２ｂからその裏側に入り込ませて、当該フィルター取付け板１４に係止固定されるもので、フィルター取付け板１４の裏面側には、フィルター１５を係止固定するとその係止爪２１ａに押されてオン作動し、フィルター１５を外すとオフ作動するマイクロスイッチＭＳが取り付けられている。
【００３１】
前記給気路９内には、リモコン装置Ｒからの制御指令に基づいてバーナ５の燃焼制御とファン６の回転数制御等を実行するバーナコントローラＢＣが配置され、リモコン装置Ｒには、燃焼運転の開始・停止を指令する運転スイッチＤＳ，給湯温度表示器２３，給湯温度設定器２４，メンテナンススイッチ２５等が備えられている。
【００３２】
前記バーナコントローラＢＣは、給湯栓の開操作に伴って水量センサＳ１の検出値が設定値を越えると、イグナイタ５ａによりバーナ５を点火させ、水量センサＳ１により検出される給水量と入水温センサＳ２の検出値に基づいてバーナ５への燃料ガス供給量ＩＰをガス量調整弁Ｖ３で制御すると共に、出湯温センサＳ３の検出値が設定給湯温度に合致するように燃料ガス供給量ＩＰを補正して、バーナ５の燃焼制御を実行する。
【００３３】
又、バーナコントローラＢＣは、ファン６によるバーナ５に対する燃焼用空気の通風量がバーナ５への燃料ガス供給量ＩＰに対して適正な量になるように、ファン６の駆動用電動直流モータの回転数を制御する。
【００３４】
図７は、バーナコントローラＢＣにおけるファン回転数の制御構成を示すブロック図で、リモコン装置Ｒからの指令情報や前述の各センサＳ１，Ｓ２，Ｓ３の検出情報に基づいてバーナ５への燃料ガス供給量ＩＰを演算する演算部２６，バーナ５への燃料ガス供給量ＩＰに基づいて燃焼用空気の目標通風量をファン６の目標回転数ＮＳ  として設定する目標回転数設定手段としての目標回転数設定部２７，目標回転数設定部２７にて設定された目標回転数ＮＳ  でファン６を駆動するファン制御手段としてのファン制御部２８，目標回転数ＮＳ  でファン６が駆動されている状態における実際通風量と目標通風量との過不足を検出する過不足検出手段としての過不足検出部２９，目標回転数ＮＳ  が設定回転数ＮＭＡＸ  を越える範囲に亘って補正されると、燃料ガス供給量ＩＰの調整範囲の上限値である最大供給量ＩＰＭＡＸ  を減少側に変更する調整範囲変更手段としての調整範囲変更部３０，ファン６で通風される通風経路の異常、具体的には空気取り入れ口１２に装着したフィルター１５の目詰まりに起因する給気路９の通風障害（通風経路の閉塞状態）が解消されたことを検出する異常解消検出手段としての異常解消検出部３１，ファン６の実際の回転数ＮＸ  を検出するエンコーダ３２の夫々が設けられている。
【００３５】
前記過不足検出部２９は、排気路１１内に燃焼排ガス中の未燃ガスであるＣＯガス（一酸化炭素ガス）の濃度を検出するＣＯセンサ３３を設けて、このＣＯセンサ３３による検出ＣＯ濃度ＰＣＯに基づいて通風量の不足を検出するもので、検出ＣＯ濃度ＰＣＯが設定値を越えている場合は、不完全燃焼が発生しているとして、実際通風量が目標通風量に比べて少ないことを検出する。
【００３６】
前記目標回転数設定部２７は、過不足検出部２９にて実際通風量が目標通風量に比べて少ないことが検出されると、目標回転数ＮＳ  を増大側に補正するように構成され、目標回転数設定部２７による目標回転数ＮＳ  の補正を実行する為の補正情報ΔＮを記憶する記憶手段としてのメモリ３４と、異常解消検出部３１による異常解消の検出結果に基づいて、メモリ３４に記憶されている目標回転数ＮＳ  の補正情報ΔＮを初期化する初期化手段としての補正初期化部３５とが設けられている。
【００３７】
図８は燃料ガス供給量ＩＰとファン６の目標回転数ＮＳ  との相関関係を示すグラフで、図中の実線は初期設定された相関関係Ｃを示し、この初期設定された相関関係Ｃで示す最大供給量ＩＰＭＡＸ  に対する目標回転数ＮＳ  を所定の補正量だけ増大させた点と、最小供給量ＩＰＭＩＮ  に対する目標回転数ＮＳ  を所定の補正量だけ増大させた点とを結ぶ直線が第１回目の増大側の補正相関関係（Ｃ＋１）となり、第１段目の補正相関関係（Ｃ＋１）から更に、上記補正量と同じ補正量づつ増大する複数段階の補正相関関係（Ｃ＋ｎ）に漸次補正させ、これらの補正量の累積量が補正情報ΔＮとしてメモリ３４に記憶され、増大側の補正回数が設定回数に達すると、異常であると判断して異常処理を行うようになっている。
【００３８】
前記燃料ガス供給量ＩＰの調整範囲変更部３０は、増大側に補正された燃料ガス供給量ＩＰと目標回転数ＮＳ  との相関関係において、ファン６の最大可能回転数ＮＭＡＸ  を越えている部分があると、燃料ガスの最大供給量ＩＰＭＡＸ  を減少側、つまり、その最大可能回転数ＮＭＡＸ  に対応する燃料供給量ＩＰＣ  に変更する。
【００３９】
前記異常解消検出部３１は、フィルター１５の目詰まりによる給気路９の通風障害が解消されたことを、フィルター１５の清掃や交換にともなう当該フィルター１５のフィルター取付け板１４に対する着脱操作を検出して、間接的に検出するもので、フィルター１５のフィルター取付け板１４からの取り外しにともなってオフ作動されるマイクロスイッチＭＳからの取り外し検出信号ＤＴ  の入力に基づいて、フィルター１５の目詰まりが解消されたことを検出して、補正初期化部３５によりメモリ３４に記憶されている補正情報ΔＮを零にクリアする。
【００４０】
次に、バーナコントローラＢＣにおけるファン回転数の制御フローを図９，図１０に基づいて説明する。
電源が投入されると、マイクロスイッチＭＳからの取り外し検出信号ＤＴ  の有無に基づいてフィルター１５がフィルター取付け板１４から取り外されているか否かを判断し（スッテップ１）、フィルター１５が取り外されている場合は、メモリ３４に記憶されている補正情報ΔＮを零にクリアする（スッテップ２）。
【００４１】
燃焼開始命令があると、プレパージの開始、バーナ５への燃料ガスの供給開始、イグナイタ５ａによる点火等の燃焼動作が開始され（スッテップ３，４）、メモリ３４に補正情報ΔＮが記憶されているか否かを判断して（スッテップ５）、補正情報ΔＴが記憶されている場合は、目標回転数設定部２７は、その補正情報ΔＮに基づいて目標回転数ＮＳ  と燃料ガス供給量ＩＰとの相関関係を補正し（スッテップ６）、補正した相関関係に基づいて燃料ガス供給量ＩＰに対応するファン６の目標回転数ＮＳ  を設定して、燃料ガス供給量ＩＰ，通風量，水量等の比例制御運転を実行する（スッテップ７）。
【００４２】
前記過不足検出部２９は、検出ＣＯ濃度ＰＣＯが設定値を越えているか否かを判断し（スッテップ８）、検出ＣＯ濃度ＰＣＯが設定値を越えていない場合は、燃焼停止命令があるまで比例制御運転を続行し（スッテップ９）、検出ＣＯ濃度ＰＣＯが設定値を越えていて不完全燃焼が発生している判断した場合、目標回転数設定部２７は、目標回転数ＮＳ  と燃料ガス供給量ＩＰとの相関関係を補正し（スッテップ１０）、調整範囲変更部３０は、補正された目標回転数ＮＳ  と燃料ガス供給量ＩＰとの相関関係において、ファン６の最大可能回転数ＮＭＡＸ  を越えている部分があるか否かを判断して（スッテップ１１）、最大可能回転数ＮＭＡＸ  を越えている部分がある場合は最大供給量ＩＰＭＡＸ  を減少側、つまり、その最大可能回転数ＮＭＡＸ  に対応する燃料ガス供給量ＩＰＣ  に変更する（スッテップ１２）。
【００４３】
そして、最大供給量ＩＰＭＡＸ  を変更した場合は、その変更した最大供給量ＩＰＭＡＸ  が予め設定されている最小限必要な最大供給量ＩＰＨ  を確保しているか否かを判断し（スッテップ１３）、最大供給量ＩＰＨ  を確保できていない場合は、エラーを表示して、バーナ５への燃料ガスの供給停止，アフターパージの開始等の燃焼停止動作を行う（スッテップ１４）。
【００４４】
また、最大供給量ＩＰＨ  を確保できている場合及び最大供給量ＩＰＭＡＸ  を変更しない場合は、燃焼停止命令があるまで、その補正した相関関係に基づいて目標回転数ＮＳ  を設定して、燃料ガス供給量ＩＰ，通風量，水量等の比例制御運転を続行する（スッテップ９）。
【００４５】
燃焼停止命令があると、目標回転数ＮＳ  と燃料ガス供給量ＩＰとの相関関係を補正したか否かを判断し（スッテップ１５）、補正しておればメモリ３４に記憶されていた補正情報ΔＮが、その新たな補正量を積算した補正情報ΔＮに書き換えられ（スッテップ１６）、バーナ５への燃料の供給停止，アフターパージの開始等の燃焼停止動作を行って（スッテップ１７）、次の燃焼開始命令があるまで待機する。
【００４６】
前記補正情報ΔＮをクリアする動作を、図１１に示す制御フローに基づいて詳述すると、補正情報ΔＮがメモリ３４に記憶されている状態で、取り外し検出信号ＤＴ  の有無に基づいて、フィルター１５がフィルター取付け板１４から取り外されているか否かを判断し（スッテップ３０，３１）、フィルター１５が取り外されていない場合は燃焼開始命令があるまで待機し（スッテップ３２）、フィルター１５が取り外されている場合は、ブザー音を鳴らしてフィルター１５が無いことを報知し（スッテップ３３）、フィルター１５が取り付けられると（スッテップ３４）、メモリ３４に記憶されている補正情報ΔＮを零にクリアして（スッテップ３５）、燃焼開始命令があるまで待機する（スッテップ３２）。
【００４７】
〔第２実施例〕
図１２は、異常解消検出部３１の別実施例を示し、フィルター１５を挟んで、投光器３６をフィルターカバー１６側に設け、投光器３６からの光を受光して信号を出力する光スイッチ３７をフィルター取付け板１４の内側に設けて、フィルター１５の目詰まりが少なく、光スイッチ３７から所定のしきい値を越える信号ＤＴ  がバーナコントローラＢＣに入力されていると、給気路９（通風経路）の通風障害が発生していないことを検出し、光スイッチ３７から所定のしきい値を越える信号ＤＴ  がバーナコントローラＢＣに入力されなくなると、フィルター１５の目詰まりが発生していることを検出し、フィルター１５の目詰まりが解消されて、所定のしきい値を越える信号ＤＴ  がバーナコントローラＢＣに入力されると、給気路９の通風障害が解消されたことを検出するように構成してある。
その他の構成は第１実施例と同様である。
【００４８】
〔第３実施例〕
図１３は、目標回転数ＮＳ  で駆動されている状態におけるファン６の実際仕事量ＤＸ  と、その目標回転数ＮＳ  に対応して予め設定されているファン６の目標仕事量ＤＳ  との過不足を検出して、実際通風量と目標通風量との過不足を検出する過不足検出部２９が設けられているバーナコントローラＢＣを示し、直流電源３８，ファン６に対する直流電源３８の通流をオン・オフするスイッチ部３９，ファン６が目標回転数設定部２７にて設定された目標回転数ＮＳ  で駆動されるようにファン６に対する直流電源３８の通流率ＤＸ  （ファン６の実際仕事量を示す駆動用の電力値の一例）を制御するファン制御手段としてのファン制御部２８，所定の基準圧力においてファン６を所定の目標回転数ＮＳ  で駆動させる基準状態に対応する基準通流率ＤＳ  （目標回転数ＮＳ  に対応して予め設定されているファン６の目標仕事量を示す基準電力値の一例）を設定する基準電力値設定手段としての基準通流率設定部４０等が設けられている。
【００４９】
前記基準通流率ＤＳ  の設定は、演算部２６で積算されている給湯器の運転時間が製品検査における運転時間を少し越える程度の運転時間、つまり、５時間を経過したときのアフターパージ（バーナ５の燃焼停止後に行われる通風動作）において、燃料ガスの最大供給量ＩＰＭＡＸ  に対応して予め設定されている目標回転数ＮＳ  でファン６が駆動回転されている状態における通流率ＤＸ  を基準通流率ＤＳ  として設定する。
【００５０】
前記過不足検出部２９は、アフターパージが実行される際においてそのときの実際の通流率ＤＸ  と基準通流率ＤＳ  とを比較し、通流率ＤＸ  が基準通流率ＤＳ  よりも大側であって、且つ、それらの偏差が設定値を越えた場合には、実際通風量が目標通風量に比べて多いことを検出し、又、通流率ＤＸ  が基準通流率ＤＳ  よりも小側であって、且つ、それらの偏差が設定値を越えた場合には、実際通風量が目標通風量に比べて少ないことを検出する。
【００５１】
前記目標回転数設定部２７は、過不足検出部２９にて実際通風量が目標通風量に比べて多いことが検出されると、目標回転数ＮＳ  と燃料ガス供給量ＩＰとの相関関係を目標回転数ＮＳ  減少側に補正し、過不足検出部２９にて実際通風量が目標通風量に比べて少ないことが検出されると、目標回転数ＮＳ  と燃料ガス供給量ＩＰとの相関関係を目標回転数ＮＳ  増大側に補正し、これらの目標回転数ＮＳ  の補正を実行する為の補正情報である補正量の積算値ΔＮがメモリ３４に記憶される。
【００５２】
図１４は、目標回転数ＮＳ  と燃料ガス供給量ＩＰとの相関関係を示し、図中の実線は初期設定した相関関係Ｃを示し、図中の破線はこの初期設定した相関関係Ｃを通流率ＤＸ  と基準通流率ＤＳ  との比較に基づいて段階的に補正した補正相関関係（Ｃ＋ｎ又はＣ−ｎ）を示す。
【００５３】
前記補正相関関係（Ｃ＋ｎ又はＣ−ｎ）は、目標回転数ＮＳ  を増大側に補正する場合、燃料ガスの最大供給量ＩＰＭＡＸ  に対する目標回転数ＮＳ  を所定の補正量だけ増大させた点と、燃料ガスの最小供給量ＩＰＭＩＮ  に対する目標回転数ＮＳ  を所定の補正量だけ増大させた点とを結ぶ直線が第１段目の増大側の補正相関関係（Ｃ＋１）となり、目標回転数ＮＳ  を減少側に補正する場合、最大供給量ＩＰＭＡＸ  に対する目標回転数ＮＳ  を所定の補正量だけ減少させた点と、最小供給量ＩＰＭＩＮ  に対する目標回転数ＮＳ  を所定の補正量だけ減少させた点とを結ぶ直線が第１段目の減少側の補正相関関係（Ｃ−１）となる。
【００５４】
このような通流率ＤＸ  と基準通流率ＤＳ  との比較はアフターパージ毎に行われ、増大側に補正する必要がある場合には、第１段目の補正相関関係（Ｃ＋１）から更に、上記補正量と同じ補正量づつ増大する複数段階の補正相関関係（Ｃ＋ｎ）に漸次補正させ、減少側に補正する必要がある場合には、第１段目の補正相関関係（Ｃ−１）から更に、上記補正量と同じ補正量づつ減少する複数段階の補正相関関係（Ｃ−ｎ）に漸次補正させ、増大側及び減少側の補正量の累積値ΔＮがメモリ３４に記憶され、増大側の補正回数と減少側の補正回数との差が設定回数に達すると、異常であると判断して異常処理を行うようになっている。
その他の構成は第１又は第２実施例と同様である。
【００５５】
〔その他の実施例〕
１．バーナへ燃焼用空気を通風するファンは、排ガスを吸引することでバーナへ燃焼用空気を通風するものであっても良い。
２．実際通風量と目標通風量との過不足を検出する過不足検出手段は、不完全燃焼の発生の有無や、排ガス中の未燃ガス量の検出結果に基づいて間接的にその過不足を検出するものに限定されず、通風量検出センサーによる検出結果に基づいて直接的にその過不足を検出するものであっても良い。
３．ファンで通風される通風経路の異常が解消されたことを検出する異常解消検出手段は、通風経路の異常がフィルターの誤装着であって、正規のフィルターが装着されたことの検出に基づいてその異常が解消されたことを検出するものや、通風経路の異常が通風経路構成部材の破損であって、その構成部材が補修されたことの検出に基づいてその異常が解消されたことを検出するもの、更には通風経路の異常がフィルターの装着忘れであって、そのフィルターが装着されたことの検出に基づいてその異常が解消されたことを検出するものであっても良い。
【００５６】
尚、特許請求の範囲の項に図面との対照を便利にするために符号を記すが、該記入により本発明は添付図面の構成に限定されるものではない。
【図面の簡単な説明】
【図１】給湯器の概略構成図
【図２】給湯器の内部を示す正面図
【図３】給湯器の内部を示す側面図
【図４】要部の分解斜視図
【図５】要部の断面図
【図６】要部の断面図
【図７】コントローラのブロック図
【図８】目標回転数と燃料ガス供給量との相関関係を示すグラフ
【図９】制御動作のフローチャート
【図１０】制御動作のフローチャート
【図１１】制御動作のフローチャート
【図１２】第２実施例を示す要部断面図
【図１３】第３実施例を示すコントローラのブロック図
【図１４】第３実施例における目標回転数と燃料ガス供給量との相関関係を示すグラフ
【符号の説明】
５        バーナ
６        ファン
９，１１  通風経路
１５      フィルター
２７      目標回転数設定手段
２８      ファン制御手段
２９      過不足検出手段
３０      調整範囲変更手段
３１      異常解消検出手段
３４      記憶手段
３５      初期化手段
ＤＸ        実際仕事量
ＤＳ        目標仕事量
ＩＰ      燃料供給量
ＩＰＭＡＸ    上限値
ＮＳ        目標回転数
ＮＭＡＸ      設定回転数
ΔＮ      補正情報
【図１】
0003565610.tif 000002
【図２】
0003565610.tif 000003
【図３】
0003565610.tif 000004
【図４】
0003565610.tif 000005
【図５】
0003565610.tif 000006
【図６】
0003565610.tif 000007
【図７】
0003565610.tif 000008
【図８】
0003565610.tif 000009
【図９】
0003565610.tif 000010
【図１０】
0003565610.tif 000011
【図１１】
0003565610.tif 000012
【図１２】
0003565610.tif 000013
【図１３】
0003565610.tif 000014
【図１４】
0003565610.tif 000015